(57)【特許請求の範囲】
【請求項１】
複数の通信プロトコルを用いて画像データを受信する受信手段を備えたファクシミリ装置において、上記各通信プロトコル毎の印刷優先順位を設定した優先順位テーブルを格納する記憶手段と、上記受信手段によって複数の印刷ジョブの画像データをＳＭＴＰ受信又はＰＯＰ受信で受信したとき、上記優先順位テーブルに基づいて上記各印刷ジョブの画像データに対してＳＭＴＰ受信又はＰＯＰ受信に応じて優先順位を設定して上記各画像データを印刷するように制御する制御手段とを備えたことを特徴とするファクシミリ装置。
【請求項２】
ＳＭＴＰ受信の印刷の優先順位は、ＰＯＰ受信の印刷の優先順位よりも高く設定されたことを特徴とする請求項１記載のファクシミリ装置。
【請求項３】
上記優先順位テーブルにおいて、上記各通信プロトコル毎に印刷優先順位及び印刷切り換えタイミングが設定され、上記制御手段は、上記通信プロトコルに対応する優先順位に応じて印刷切り換えタイミングを選択的に切り換えて印刷するように制御することを特徴とする請求項１又は２記載のファクシミリ装置。
【請求項４】
上記印刷切り換えタイミングは、第１の優先順位のときに印刷中のページ終了時に割り込むタイミングであり、上記第１の優先順位よりも低い第２の優先順位のときに１つのファイルの印刷終了時に割り込むタイミングであることを特徴とする請求項３記載のファクシミリ装置。
【請求項５】
印刷ジョブの画像データを印刷しているときに、より優先順位の高い印刷ジョブの画像データを上記受信手段により受信したとき、上記制御手段は、実行中の印刷ジョブを中断し、より優先順位の高い印刷ジョブの画像データを優先して印刷するように制御することを特徴とする請求項１乃至４のうちのいずれか１つに記載のファクシミリ装置。
【請求項６】
印刷ジョブの画像データを印刷しているときに、より優先順位の高い印刷ジョブの画像データを上記受信手段により受信したとき、上記制御手段は、実行中の印刷ジョブを終了した後、より優先順位の高い印刷ジョブの画像データを優先して印刷するように制御することを特徴とする請求項１乃至４のうちのいずれか１つに記載のファクシミリ装置。
【発明の詳細な説明】
【０００１】
【発明の属する技術分野】
本発明は、複数の通信プロトコルを用いて画像データを受信する受信手段を備えたファクシミリ装置に関する。
【０００２】
【従来の技術】
公衆電話網に加えてＬＡＮやインターネットを介してファクシミリ通信を行うことができるインターネットファクシミリ装置においては、Ｇ３やＧ４のファクシミリ受信による印刷ジョブに加えて、以下の印刷ジョブが発生する。
（ａ）ＳＭＴＰ又はＰＯＰを用いて、ＬＡＮ又はインターネットを介して画像データが添付された電子メールを受信したことによる画像データの印刷ジョブであり、例えば、ＩＴＵ−Ｔ勧告Ｔ．３７やＴ．３８に準拠したインターネットファクシミリ受信による印刷ジョブ。
（ｂ）自機のスキャナを用いたコピー機能による印刷ジョブ。
（ｃ）クライアントパーソナルコンピュータからＬＡＮを介して受信された、いわゆる「ネットワークプリント」と呼ばれる印刷ジョブ。
【０００３】
従来例のインターネットファクシミリ装置においては、印刷ジョブの実行は、印刷ジョブが発生した順番に基づいて行われている。
【０００４】
【発明が解決しようとする課題】
例えば、ＳＭＴＰによる画像データの印刷ジョブはＰＯＰによる画像データの印刷ジョブに比べて即時性があるが、他の印刷ジョブが溜まっていると、その後から印刷されることになり、ＳＭＴＰによる画像データの印刷ジョブについての即時性が活かされないという問題点があった。
【０００５】
本発明の目的は以上の問題点を解決し、複数の通信プロトコルを用いて画像データを受信する受信手段を備えたファクシミリ装置において、各通信プロトコルの即時性を活かすことができるファクシミリ装置を提供することにある。
【０００６】
【課題を解決するための手段】
本発明に係るファクシミリ装置は、複数の通信プロトコルを用いて画像データを受信する受信手段を備えたファクシミリ装置において、上記各通信プロトコル毎の印刷優先順位を設定した優先順位テーブルを格納する記憶手段と、上記受信手段によって複数の印刷ジョブの画像データをＳＭＴＰ受信又はＰＯＰ受信で受信したとき、上記優先順位テーブルに基づいて上記各印刷ジョブの画像データに対してＳＭＴＰ受信又はＰＯＰ受信に応じて優先順位を設定して上記各画像データを印刷するように制御する制御手段とを備えたことを特徴とする。上記ファクシミリ装置において、ＳＭＴＰ受信の印刷の優先順位は、ＰＯＰ受信の印刷の優先順位よりも高く設定されたことを特徴とする。また、上記優先順位テーブルにおいて、上記各通信プロトコル毎に印刷優先順位及び印刷切り換えタイミングが設定され、上記制御手段は、上記通信プロトコルに対応する優先順位に応じて印刷切り換えタイミングを選択的に切り換えて印刷するように制御することを特徴とする。ここで、上記印刷切り換えタイミングは、第１の優先順位のときに印刷中のページ終了時に割り込むタイミングであり、上記第１の優先順位よりも低い第２の優先順位のときに１つのファイルの印刷終了時に割り込むタイミングであることを特徴とする。
【０００７】
また、上記ファクシミリ装置において、好ましくは、印刷ジョブの画像データを印刷しているときに、より優先順位の高い印刷ジョブの画像データを上記受信手段により受信したとき、上記制御手段は、実行中の印刷ジョブを中断し、より優先順位の高い印刷ジョブの画像データを優先して印刷するように制御することを特徴とする。
【０００８】
さらに、上記ファクシミリ装置において、好ましくは、印刷ジョブの画像データを印刷しているときに、より優先順位の高い印刷ジョブの画像データを上記受信手段により受信したとき、上記制御手段は、実行中の印刷ジョブを終了した後、より優先順位の高い印刷ジョブの画像データを優先して印刷するように制御することを特徴とする。
【０００９】
【発明の実施の形態】
以下、図面を参照して本発明に係る実施形態について説明する。
【００１０】
＜実施形態＞
図１は、本発明に係る実施形態である、印刷ジョブ優先順位機能を備えたインターネットファクシミリ装置２０の構成を示すブロック図である。このインターネットファクシミリ装置２０は、複数の通信プロトコルを用いて画像データを受信可能なファクシミリ装置であり、ＲＯＭ６は、上記各通信プロトコル毎の印刷優先順位を設定した印刷ジョブ優先順位テーブル６ａを格納し、主制御部１は、複数の印刷ジョブの画像データを受信したとき、上記印刷ジョブ優先順位テーブル６ａに基づいて上記各印刷ジョブの画像データに対して優先順位を設定して上記各画像データを印刷するように制御することを特徴としている。
【００１１】
また、このインターネットファクシミリ装置２０において、印刷ジョブの画像データを印刷しているときに、例えばＳＭＴＰによる画像データの印刷ジョブなど、より優先順位の高い印刷ジョブの画像データを受信したとき、主制御部１は、実行中の印刷ジョブを中断し、より優先順位の高い印刷ジョブの画像データを優先して印刷するように制御する。さらに、印刷ジョブの画像データを印刷しているときに、例えば「ネットワークプリント」の印刷ジョブなど、より優先順位の高い印刷ジョブの画像データを受信したとき、主制御部１は、実行中の印刷ジョブを終了した後、より優先順位の高い印刷ジョブの画像データを優先して印刷するように制御する。
【００１２】
図１において、インターネットファクシミリ装置２０は、従来のＧ３方式等のファクシミリ通信機能を備えるとともに、印刷ジョブ優先順位機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該インターネットファクシミリ装置２０の動作状態を表示したり、送信すべき原稿のイメージデータ、及び受信したイメージデータの表示を行う。
【００１３】
操作部５は、当該インターネットファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１４】
ＲＯＭ６は、当該インターネットファクシミリ装置２０の動作に必要であって主制御部１によって実行される種々のソフトウェアのプログラムを予め格納する。ここで、ＲＯＭ６は図２の印刷ジョブ優先順位テーブル６ａを格納する。これらのプログラムは、例えば、フロッピーディスク、ＭＯ、ＤＶＤ−ＲＡＭなどの記録媒体に記録して、必要に応じてそのドライブ装置を介してＳＲＡＭ７にロードして当該プログラムを実行してもよい。ＳＲＡＭ７は、主制御部１のワーキングエリアとして使用されてプログラムの実行時に発生する一時的なデータを記憶する。ここで、ＳＲＡＭ７は図３の印刷ジョブ待ちテーブル７ａを格納する。コンパクトフラッシュ８は、いわゆる画像メモリと、プログラム記録媒体としてのメモリとの役割を有する。
【００１５】
ファックスモデム１０は、公衆電話回線Ｌを介して公衆電話網５０に接続され、通常のファクシミリ通信用のファックスモデムの機能を有するモデムである。ＮＣＵ（ネットワーク制御回路：Ｎｅｔｗｏｒｋ  Ｃｏｎｔｒｏｌ  Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のデジタル回線（例えば、ＩＳＤＮ回線）に接続するようにしてもよい。
【００１６】
インターフェース回路１２は、当該インターネットファクシミリ装置２０を、例えばイーサネットなどのＬＡＮ３０等に接続するために、信号やデータの信号変換やプロトコル変換を行うインターフェース回路であり、ＬＡＮ３０にはメールサーバ装置３１、ルータ装置３２及びクライアントパーソナルコンピュータ６０−１，６０−２が接続される。
【００１７】
さらに、ルータ装置３２はインターネット４０を介して相手先のメールサーバ装置（図示せず。）に接続される。当該インターネットファクシミリ装置２０から画像データをメール本文に添付してメール送信するときは、ＬＡＮインターフェース１２からＬＡＮ３０を介して一旦メールサーバ装置３１に送信した後、メールサーバ装置３１が当該インターネットメールを、ＬＡＮ３０、ルータ装置３２、インターネット４０、及び相手先のメールサーバ装置（図示せず。）を介して送信先のファクシミリ装置にメール送信する。一方、インターネットメールを受信するときは、上記の逆の経路で受信する。ここで、メールサーバ装置３１からインターネットネットメールを受信する方法は、ＰＯＰ３を用いてもよいし、ＳＭＴＰにより受信してもよい。なお、インターネット４０への回線接続は、専用回線などに限らず、公衆電話回線Ｌを用いたダイヤルアップ接続でもよい。
【００１８】
以上のように構成された本実施形態のインターネットファクシミリ装置２０は、通常のＧ３方式等のファクシミリ通信機能に加えて、印刷ジョブ優先順位機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。
【００１９】
このインターネットファクシミリ装置２０においては、以下の印刷ジョブが発生する。
（ａ）ＩＴＵ−Ｔ勧告のＴ．３０の通信手順を用いたファクシミリ受信による印刷ジョブ。
（ｂ）ＳＭＴＰ又はＰＯＰを用いて、ＬＡＮ３０又はインターネット４０を介して画像データが添付された電子メールを受信したことによる画像データの印刷ジョブであり、例えば、ＩＴＵ−Ｔ勧告Ｔ．３７やＴ．３８に準拠したインターネットファクシミリ受信による印刷ジョブ。
（ｃ）自機のスキャナを用いたコピー機能による印刷ジョブ。
（ｄ）クライアントパーソナルコンピュータ６０−１又は６０−２からＬＡＮ３０を介して受信された、いわゆる「ネットワークプリント」と呼ばれる印刷ジョブ。
【００２０】
本実施形態においては、主制御部１は、これらの印刷ジョブが発生したとき、ＲＯＭ６内の印刷ジョブ優先順位テーブル６ａを参照して、発生した印刷ジョブの待ち行列における優先順位を決定して、印刷中及び印刷完了していない印刷ジョブの待ち行列をＳＲＡＭ７内の印刷ジョブ待ちテーブル７ａを用いて管理することにより印刷ジョブの優先順位を制御する。
【００２１】
図２は、図１のＲＯＭ６に格納された印刷ジョブ優先順位テーブル６ａの一例を示す図である。図２に示すように、印刷ジョブ優先順位テーブル６ａにおいては、印刷ジョブの受信方式に応じて、優先順位（ここで、より高い優先順位に対して大きな優先度の数字を付している。）と、印刷切り換えタイミングを格納している。図２の例では、ＳＭＴＰ受信の印刷ジョブが一番優先順位が高く、印刷中のページ終了時に割り込みをかけて、他の印刷ジョブよりも優先して印刷ジョブを実行し、その後、元の印刷ジョブを実行する。すなわち、実行中の印刷ジョブの終了を待たずに優先して印刷ジョブを実行する。ＳＭＴＰ受信に次いで、ネットワークプリントの印刷ジョブが優先順位が高く、他のファイルの印刷終了後、すなわち本実施形態では、１つのファイルは１つの印刷ジョブに対応するので、他の印刷ジョブの印刷終了後に、他の印刷ジョブよりも優先して印刷ジョブを実行する。さらに、ＰＯＰ３受信又はＴ．３０ファクシミリ受信による印刷ジョブは、優先順位を「３」に設定され、他のファイルの印刷終了後、すなわち他の印刷ジョブの印刷終了後に印刷ジョブを実行する。
【００２２】
図３は、図１のＳＲＡＭ７に格納された印刷ジョブ待ちテーブル７ａの一例を示す図である。図３の印刷ジョブ待ちテーブル７ａは、主制御部１が複数の印刷ジョブの待ち行列を管理するために用いられ、図３に示すように、待ち行列の待ち順位、ファイル名、状態（印刷中であるか、印刷待ちか）、受信方式、コンパクトフラッシュ８内の画像メモリのアドレス、ファイルのサイズなどの情報を格納している。
【００２３】
インターネットファクシミリ装置において、電子メールを受信する手段としてＳＭＴＰ受信とＰＯＰ３受信の両方が可能な場合において、ＳＭＴＰ受信はＰＯＰ３受信と比べてメールサーバに一定間隔でポーリングに行くのではなくメールサーバから直接送り込まれてくるので、即時性が高くイントラネットなどのＬＡＳＮ３０では非常に有効な手段である。しかしながら、ＳＭＴＰ受信で原稿の画像データを受信しても、その時にすでにＰＯＰ３でたくさんの電子メールを受信しており、それらが印字待ちになっている場合にはそれらの原稿が印字終了するまでＳＭＴＰ受信した原稿が印字されないことになりせっかくの即時性が失われる場合がある。そこで、本実施形態に係るインターネットファクシミリ装置２０においては、ＳＭＴＰ受信、ＰＯＰ３受信の通信手段に優先順位をつけ、それぞれの受信手段で受信した原稿が複数あり印字待ちになっている場合にも優先順位の高い方の受信原稿が先に印字されるようにしている。
【００２４】
また、インターネットファクシミリ装置の機能やネットワークプリントの機能など、ファクシミリ受信以外にも幾種類かの原稿の画像データを受信する手段を備えたファクシミリ装置において、受信した原稿を印字する時の優先順位を、通信手段に対して割り当てておきある受信原稿を印字中により優先度の高い原稿を受信した場合には、その原稿を優先的に印字するようにしている。さらに、本実施形態においては、優先度の高い原稿の画像データを印字する時に、優先的に印字を開始するタイミングとして優先度の低い原稿が印字中であった場合に１つの原稿の画像データファイル（又は印刷ジョブ）の印字が終わった時点で切り替えるか、印字中のページが印字終了した時点で割り込みで切り替えるのかも印刷ジョブ優先順位テーブル６ａにおいて設定できるようにしている。
【００２５】
以上説明したように、本実施形態によれば、ＲＯＭ６は、各通信プロトコル毎の印刷優先順位を設定した印刷ジョブ優先順位テーブル６ａを格納し、主制御部１は、複数の印刷ジョブの画像データを受信したとき、上記印刷ジョブ優先順位テーブル６ａに基づいて上記各印刷ジョブの画像データに対して優先順位を設定して上記各画像データを印刷するように制御する。従って、各通信プロトコルに応じて印刷ジョブの優先順位を設定することにより、通信プロトコルの即時性を活かした印刷を行うことができる。
【００２６】
また、このインターネットファクシミリ装置２０において、印刷ジョブの画像データを印刷しているときに、例えばＳＭＴＰによる画像データの印刷ジョブなど、より優先順位の高い印刷ジョブの画像データを受信したとき、主制御部１は、実行中の印刷ジョブを中断し、より優先順位の高い印刷ジョブの画像データを優先して印刷するように制御し、その後、中断した印刷ジョブを実行する。従って、より優先順位の高い印刷ジョブの画像データを受信したとき実行中の印刷ジョブを中断して、より優先順位の高い印刷ジョブの画像データを優先的に印刷でき、通信プロトコルの即時性を活かした印刷を行うことができる。
【００２７】
さらに、このインターネットファクシミリ装置２０において、印刷ジョブの画像データを印刷しているときに、例えば「ネットワークプリント」の印刷ジョブなど、より優先順位の高い印刷ジョブの画像データを受信したとき、主制御部１は、実行中の印刷ジョブを終了した後、より優先順位の高い印刷ジョブの画像データを優先して印刷するように制御する。従って、より優先順位の高い印刷ジョブの画像データを受信したとき実行中の印刷ジョブを終了した後、より優先順位の高い印刷ジョブの画像データを優先的に印刷でき、通信プロトコルの即時性を活かした印刷を行うことができる。
【００２８】
＜変形例＞
以上の実施形態においては、インターネットファクシミリ装置２０の例について述べているが、本発明はこれに限らず、公衆電話網又は公衆デジタル回線網などの公衆網に接続された、例えば電話機、データ通信装置などを含む通信端末装置に適用することができる。
【００２９】
【発明の効果】
以上詳述したように本発明に係るファクシミリ装置によれば、複数の通信プロトコルを用いて画像データを受信する受信手段を備えたファクシミリ装置において、上記各通信プロトコル毎の印刷優先順位を設定した優先順位テーブルを格納する記憶手段と、上記受信手段によって複数の印刷ジョブの画像データをＳＭＴＰ受信又はＰＯＰ受信で受信したとき、上記優先順位テーブルに基づいて上記各印刷ジョブの画像データに対してＳＭＴＰ受信又はＰＯＰ受信に応じて優先順位を設定して上記各画像データを印刷するように制御する制御手段とを備えたことを特徴とする。ここで、上記ファクシミリ装置において、ＳＭＴＰ受信の印刷の優先順位は、ＰＯＰ受信の印刷の優先順位よりも高く設定されたことを特徴とする。従って、各通信プロトコルに応じて印刷ジョブの優先順位を設定することにより、通信プロトコルの即時性を活かした印刷を行うことができる。
また、ファクシミリ装置において、電子メールを受信する手段としてＳＭＴＰ受信とＰＯＰ３受信の両方が可能な場合において、ＳＭＴＰ受信はＰＯＰ３受信と比べてメールサーバに一定間隔でポーリングに行くのではなくメールサーバから直接送り込まれてくるので、即時性が高くイントラネットなどのＬＡＳＮ３０では非常に有効な手段である。しかしながら、ＳＭＴＰ受信で原稿の画像データを受信しても、その時にすでにＰＯＰ３でたくさんの電子メールを受信しており、それらが印字待ちになっている場合にはそれらの原稿が印字終了するまでＳＭＴＰ受信した原稿が印字されないことになりせっかくの即時性が失われる場合がある。そこで、本発明に係るファクシミリ装置においては、ＳＭＴＰ受信、ＰＯＰ３受信の通信手段に優先順位をつけ、それぞれの受信手段で受信した原稿が複数あり印字待ちになっている場合にも優先順位の高い方の受信原稿が先に印字されるようにしている。
また、上記優先順位テーブルにおいて、上記各通信プロトコル毎に印刷優先順位及び印刷切り換えタイミングが設定され、上記制御手段は、上記通信プロトコルに対応する優先順位に応じて印刷切り換えタイミングを選択的に切り換えて印刷するように制御することを特徴とする。ここで、上記印刷切り換えタイミングは、第１の優先順位のときに印刷中のページ終了時に割り込むタイミングであり、上記第１の優先順位よりも低い第２の優先順位のときに１つのファイルの印刷終了時に割り込むタイミングであることを特徴とする。従って、上記指定情報に対応した優先順位に応じて印刷切り換えタイミングを切り換えることができる。すなわち、優先度の高い原稿の画像データを印字する時に、優先的に印字を開始するタイミングとして優先度の低い原稿が印字中であった場合に１つの原稿の画像データファイル（又は印刷ジョブ）の印字が終わった時点で切り替えるか、印字中のページが印字終了した時点で割り込みで切り替えるのかを優先順位テーブルにおいて設定できる。
【００３０】
また、上記ファクシミリ装置において、好ましくは、印刷ジョブの画像データを印刷しているときに、より優先順位の高い印刷ジョブの画像データを上記受信手段により受信したとき、上記制御手段は、実行中の印刷ジョブを中断し、より優先順位の高い印刷ジョブの画像データを優先して印刷するように制御する。従って、より優先順位の高い印刷ジョブの画像データを受信したとき実行中の印刷ジョブを中断して、より優先順位の高い印刷ジョブの画像データを優先的に印刷でき、通信プロトコルの即時性を活かした印刷を行うことができる。
【００３１】
さらに、上記ファクシミリ装置において、好ましくは、印刷ジョブの画像データを印刷しているときに、より優先順位の高い印刷ジョブの画像データを上記受信手段により受信したとき、上記制御手段は、実行中の印刷ジョブを終了した後、より優先順位の高い印刷ジョブの画像データを優先して印刷するように制御する。従って、より優先順位の高い印刷ジョブの画像データを受信したとき実行中の印刷ジョブを終了した後、より優先順位の高い印刷ジョブの画像データを優先的に印刷でき、通信プロトコルの即時性を活かした印刷を行うことができる。
【図面の簡単な説明】
【図１】本発明に係る実施形態である、印刷ジョブ優先順位機能を備えたインターネットファクシミリ装置２０の構成を示すブロック図である。
【図２】図１のＲＯＭ６に格納された印刷ジョブ優先順位テーブル６ａの一例を示す図である。
【図３】図１のＳＲＡＭ７に格納された印刷ジョブ待ちテーブル７ａの一例を示す図である。
【符号の説明】
１…主制御部、
３…画像記録部、
６…ＲＯＭ、
６ａ…印刷ジョブ優先順位テーブル、
７…ＲＡＭ、
７ａ…印刷ジョブ待ちテーブル、
８…コンパクトフラッシュ、
１０…ファックスモデム、
１１…ＮＣＵ、
１２…インターフェース回路、
１３…バス、
２０…インターネットファクシミリ装置、
３０…ＬＡＮ、
３１…メールサーバ装置、
３２…ルータ装置、
４０…インターネット、
５０…公衆電話網、
６０−１，６０−２…クライアントパーソナルコンピュータ、
Ｌ…公衆電話回線。
【図１】
0003624860.tif 000002
【図２】
0003624860.tif 000003
【図３】
0003624860.tif 000004